(57)【要約】【課題】底板カバー装着時に、底板カバーの下面にチャンネル材のような突起をなくして装着することができ、ケーブルラックを下から眺めたときの見栄えを良好にすると共に、底板カバーの撓みを矯正することも可能な底板カバー支持バンドを提供する。【解決手段】係止金具１０の下端部に設けた連結部１１を親桁Ｐ１内側に向けて傾斜するように設ける。バンド金具２０の両端部を上方に向けて屈曲した連結部２１を親桁Ｐ１外側に向けて傾斜するように設ける。該バンド金具２０の傾斜した連結部２１に係止金具１０の側面に当接する突当部２２を設ける。係止金具１０とバンド金具２０との連結部相互をネジ止めした際に、突当部２２を支点としてバンド金具２０の連結部２１が親桁Ｐ１外側に向けて開き傾向に連結する。【選択図】  図１
2008054463.tif 000002
【特許請求の範囲】
【請求項１】
ケーブルラックの親桁上端部に係止する係止金具と、親桁の外側面近傍で係止金具の下部に止着ネジにてネジ止め連結される略帯状のバンド金具とから成り、該バンド金具でケーブルラック底面に配した底板カバーをケーブルラックに固定する底板カバー支持バンドにおいて、係止金具の下部に設けた連結部を親桁内側に向けて傾斜するように設けると共に、バンド金具の両端部を上方に向けて屈曲形成した連結部を、親桁外側に向けて傾斜するように設け、該バンド金具の連結部上端部に係止金具の側面に当接する突当部を設けることで、係止金具とバンド金具との連結部相互をネジ止めした際に、突当部を支点として、係止金具とバンド金具の連結部が親桁外側に向けて開き傾向に連結されるように設けたことを特徴とする底板カバー支持バンド。
【請求項２】
前記バンド金具は、左右一対の前記係止金具に連結され、該バンド金具の左右の連結部がネジ止めされて開き傾向に連結されることで、該バンド金具の底板カバーに当接する支持部材が上方に向けて反り返るように設けられた請求項１記載の底板カバー支持バンド。
【請求項３】
前記係止金具に、鉛直上方を向いた連結ボルトのボルト挿通孔を開穿し、該ボルト挿通孔に挿通した連結ボルトでケーブルラックの上面に装着する略棒状のチャンネル材を固定するように設けた請求項１又は２記載の底板カバー支持バンド。
【請求項４】
前記係止金具は、前記ケーブルラックの親桁上端部に代えて該親桁下端部に係止するように設けられ、前記バンド金具でケーブルラックのラックカバーを固定するように設けられた請求項１乃至３いずれか記載の底板カバー支持バンド。
【請求項５】
前記バンド金具は、前記底板カバーを別々に支持するように左右で分割された請求項１記載の底板カバー支持バンド。
【発明の詳細な説明】
【技術分野】
【０００１】
本発明は、略梯子状を成したケーブルラックの下面を閉塞する底板カバーに装着して、該底板カバーをケーブルラックに固定する底板カバー支持バンドに関する。
【背景技術】
【０００２】
従来、ケーブルラックを施工する際に、ケーブルの保護や美観を目的としてケーブルラックの底部に底板カバーを装着する工事がある。この底板カバーとして、たとえば、特許文献１に示されるような専用の底板カバーが提案されている。特許文献１に記載の底板カバーは、防災を目的としたものであり、ケーブルラックの下面に装着する底板カバーを、ケーブルラックの親桁上面から親桁側面に沿って配したスプリングを介して吊持するものである。  
【０００３】
また、特許文献２に示される如きフックボルトを利用して、ケーブルラックのラックカバーを底板カバーとして装着することもある。このようなフックボルトは、ケーブルラックのカバーを取り付ける際に使用するものであるが、この種のフックボルトをケーブルラックの親桁に対して逆向きに取り付けることで、ラックカバーを底板カバーとして装着する工事も少なくない。
【特許文献１】実開昭５９−４７２１６号公報
【特許文献２】特開２００２−３５４６２５号公報
【発明の開示】
【発明が解決しようとする課題】
【０００４】
ところが、特許文献１のように、ケーブルラックの親桁上面から親桁側面に沿ったスプリングを介して底板カバーを吊持するものでは、ケーブルラックを下から眺めたときに、ケーブルラック底部に底板カバーのみが見える状態になるので見栄えは良いが、スプリングを使用して底板カバーを吊持しているので、このスプリングの疲労が大きく、長期の使用に耐えられない不都合がある。
【０００５】
一方、特許文献２の如きラックカバー用のフックボルトを逆向きにして、ラックカバーを底板カバーとして装着すると、このフックボルトと共にラックカバーの押さえとして使用される略棒状のチャンネル材が、底板カバーの下面に突出することになる。これらのフックボルトやチャンネル材は、長尺の底板カバーが撓まないように固定するために、数多く使用されるので、この底板下面に突出するチャンネル材も数多いものになる。このため、ケーブルラックを下から眺めたときの見栄えが悪くなる不都合が生じていた。
【０００６】
本発明は上述の課題を解消すべく創出されたもので、底板カバー装着時に、底板カバーの下面にチャンネル材のような突起をなくして装着することができ、ケーブルラックを下から眺めたときの見栄えを良好にすると共に、底板カバーの撓みを矯正することも可能な底板カバー支持バンドの提供を目的とする。
【課題を解決するための手段】
【０００７】
上述の目的を達成すべく本発明における第１の手段は、ケーブルラックＰの親桁Ｐ１上端部に係止する係止金具１０と、親桁Ｐ１の外側面近傍で係止金具１０の下部に止着ネジ３０にてネジ止め連結される略帯状のバンド金具２０とから成り、該バンド金具２０でケーブルラックＰ底面に配した底板カバーＱをケーブルラックＰに固定する底板カバー支持バンドにおいて、係止金具１０の下部に設けた連結部１１を親桁Ｐ１内側に向けて傾斜するように設けると共に、バンド金具２０の両端部を上方に向けて屈曲形成した連結部２１を、親桁Ｐ１外側に向けて傾斜するように設け、該バンド金具２０の連結部２１上端部に係止金具１０の側面に当接する突当部２２を設けることで、係止金具１０とバンド金具２０との連結部相互をネジ止めした際に、突当部２２を支点として、係止金具１０とバンド金具２０の連結部１１、２１が親桁Ｐ１外側に向けて開き傾向に連結されるように設けたことにある。
【０００８】
第２の手段の前記バンド金具２０は、左右一対の前記係止金具１０に連結され、該バンド金具２０の左右の連結部２１がネジ止めされて開き傾向に連結されることで、該バンド金具２０の底板カバーＱに当接する支持部材２３が上方に向けて反り返るように設けられている。
【０００９】
第３の手段は、前記係止金具１０に、鉛直上方を向いた連結ボルト４０のボルト挿通孔１３を開穿し、該ボルト挿通孔１３に挿通した連結ボルト４０でケーブルラックＰの上面に装着する略棒状のチャンネル材Ｓを固定するように設けている。
【００１０】
第４の手段の前記係止金具１０は、前記ケーブルラックＰの親桁Ｐ１上端部に代えて該親桁Ｐ１下端部に係止するように設けられ、前記バンド金具２０でケーブルラックＰのラックカバーＲを固定するように設けられている。
【００１１】
第５の手段の前記バンド金具２０は、前記底板カバーＱを別々に支持するように左右で分割されたことを課題解消のための手段とする。
【発明の効果】
【００１２】
本発明の請求項１により、係止金具１０とバンド金具２０との連結部相互をネジ止めした際に、突当部２２を支点として、係止金具１０とバンド金具２０の連結部１１、２１が親桁Ｐ１外側に向けて開き傾向に連結されるように設けたことにより、底板カバーＱに帯状のバンド金具２０が密着して底板カバーＱを固定するので、従来の如く、チャンネル材Ｓの如き突起をなくすことができる。また、底板カバーＱにバンド金具２０が追従する構造なので、バンド金具２０の撓みは生じず、底板カバーＱとバンド金具２０との間に隙間が生じることもない。したがって、ケーブルラックＰを下から眺めた際の美観を優れたものにする。
【００１３】
請求項２の如く、バンド金具２０の左右の連結部２１がネジ止めされて開き傾向に連結されることで、該バンド金具２０が上方に向けて反り返るように設けたことで、このバンド金具２０が底板カバーＱを押し上げて底板カバーＱの撓みを矯正することができる。また、底板カバーＱの支持力も強固になり、安全性に優れたものになる。
【００１４】
請求項３では、係止金具１０に連結ボルト４０を挿通し、ケーブルラックＰの上面に装着する略棒状のチャンネル材Ｓを固定するように設けているので、底板カバーＱと共に、ラックカバーＲを同時に装着することが可能である。
【００１５】
請求項４に示す如く、係止金具１０は、親桁Ｐ１下端部にも係止可能に設けられているので、バンド金具２０を使用してラックカバーＲを固定することもできる。
【００１６】
請求項５の如く、底板カバーＱを別々に支持するようにバンド金具２０を左右で分割することで、ラックカバーＲの寸法や底板カバーＱの寸法が異なっても、共通のバンド金具２０で対応させることができる。
【００１７】
このように、本発明によると、底板カバー装着時に、底板カバーの下面にチャンネル材のような突起をなくして装着することができ、ケーブルラックを下から眺めたときの見栄えを良好にすると共に、底板カバーの撓みを矯正することも可能になるなどといった種々の効果を奏するものである。
【発明を実施するための最良の形態】
【００１８】
本発明支持バンドの最良の形態は、係止金具１０の下端部に設けた連結部１１を親桁Ｐ１内側に向けて傾斜するように設けると共に、バンド金具２０の両端部を上方に向けて屈曲した連結部２１を親桁Ｐ１外側に向けて傾斜するように設ける。該バンド金具２０の傾斜した連結部２１に係止金具１０の側面に当接する突当部２２を設ける。係止金具１０とバンド金具２０との連結部相互をネジ止めした際に、突当部２２を支点として係止金具１０とバンド金具２０の連結部１１、２１が親桁Ｐ１外側に向けて開き傾向に連結する。バンド金具２０は、左右一対の前記係止金具１０に連結される。該バンド金具２０の左右の連結部２１がネジ止めされて開き傾向に連結されることで、該バンド金具２０が上方に向けて反り返るように設けることで当初の目的を達成するものである。
【実施例】
【００１９】
以下、本発明の一実施例を説明する。本発明支持バンドの基本構成は、係止金具１０、バンド金具２０、止着ネジ３０からなるもので、該止着ネジ３０にて係止金具１０とバンド金具２０とを連結し、該バンド金具２０で、底板カバーＱをケーブルラックＰ底部に固定するものである。
【００２０】
係止金具１０は、ケーブルラックＰの親桁Ｐ１上端部に係止する金具である。この係止金具１０の下部に、バンド金具２０を連結する連結部１１を設け、この連結部１１を親桁Ｐ１内側に向けて傾斜するように設けている。連結部１１には、止着ネジ３０を挿通する挿通孔１２を開穿してある（図２参照）。図示例の係止金具１０は、親桁Ｐ１の上端部に係止する略鉤形状の係止部１５と、係止金具１０の上部を略水平に屈曲した支持片１４と、係止金具１０の下端部に設けられた連結部１１とから成る。
【００２１】
バンド金具２０は、親桁Ｐ１の外側面近傍で係止金具１０の下端部に止着ネジ３０にてネジ止め連結される略帯状の金具である。このバンド金具２０には、両端部を上方に向けて屈曲した連結部２１を設けてあり、この連結部２１を係止金具１０の連結部１１と連結するものである。この連結部２１は、親桁Ｐ１の外側に向けて傾斜するように配している。更に、この傾斜した連結部２１の上端に突当部２２を設け、この突当部２２を係止金具１０の側面に当接させる（図２参照）。
【００２２】
図示の突当部２２は、バンド金具２０の連結部２１上端部を屈曲して形成しているが、バンド金具２０と突当部２２とを別体に形成することもできる。そして、係止金具１０とバンド金具２０との連結部相互を止着ネジ３０でネジ止めした際に、突当部２２を支点としてバンド金具２０の連結部２１が親桁Ｐ１外側に向けて開き傾向に連結されるように設けている。
【００２３】
このように、バンド金具２０は、左右一対の前記係止金具１０に連結され、該バンド金具２０の左右の連結部２１がネジ止めされて開き傾向に連結されることで、該バンド金具２０が上方に向けて反り返るようになる（図１参照）。
【００２４】
すなわち、止着ネジ３０の緊締によって、係止金具１０とバンド金具２０の連結部１１、２１相互が近づくと、突当部２２が妨げになって、連結部１１が外側に開き傾向になる。すると、この外側に開いた連結部１１により、バンド金具２０の連結部２１が押圧されてこの連結部２１も外側に開き傾向になる。このようにして、バンド金具２０の連結部２１が外側に開いて行くと、底板カバーＱに接する支持部材２３の長手中央部に両側から付勢力が集中し、この中央部を上方に押圧する応力として作用する。この結果、支持部材２３の長手中央部は、上方を向いて反り返るものである（図１参照）。
【００２５】
係止金具１０とバンド金具２０とを連結する止着ネジ３０は、角根ボルト３１と座付きナット３２とを使用している（図２参照）。そして、係止金具１０の連結部１１に開穿する挿通孔１２を角孔状に形成し、角根ボルト３１の角根部分が嵌合するようにしている。一方、バンド金具２０の連結部２１の挿通孔２５に挿通した角根ボルト３１に、座付きナット３２をネジ止めしている。このような止着ネジ３０により、係止金具１０とバンド金具２０との連結部１１、２１相互を確実に固定することができる。
【００２６】
本発明支持バンドの施工例を図３及び図５に示している。
【００２７】
図３に示す施工例は、ケーブルラックＰが直吊りされた状態の底部に底板カバーＱを装着した例を示している。この施工例によると、底板カバーＱは直吊り金具Ｔまで被覆することになる。
【００２８】
図４に示す施工例は、底板カバーＱとラックカバーＲとを同時に装着する施工例を示している。このとき、係止金具１０の上部に略水平に屈曲した支持片１４を形成し、この支持片１４に、鉛直上方を向けて装着する連結ボルト４０のボルト挿通孔１３を開穿している。そして、ボルト挿通孔１３に挿通した連結ボルト４０でケーブルラックＰの上面を押さえる略棒状のチャンネル材Ｓを固定するものである。
【００２９】
また、図５に示す施工例は、本発明支持バンドを利用してラックカバーＲを装着する施工例を示している。すなわち、係止金具１０は、ケーブルラックＰの親桁Ｐ１上端部に代えて、該親桁Ｐ１下端部に係止するように設けられている。すると、本発明支持バンドを逆向きに装着することで、前記バンド金具２０でケーブルラックＰのラックカバーＲを固定することができる。
【００３０】
次に、本発明支持バンドの他の実施例を図６及び図８に示している。図６に示すバンド金具２０は、底板カバーＱに下から重合する支持部材２３と、この支持部材２３の両端部から屈曲延長される連結部２１との境界部分に、Ｒ状の屈曲部２４を形成することで、底板カバーＱと支持部材２３との間にできる隙間を目立たなくするものである。すなわち、底板カバーＱの長さと支持部材２３の長さが正確に一致していない場合は、この支持部材２３の両端部に隙間が生じることになるが、この屈曲部２４を設けることにより、その隙間を目立たなくするものである。
【００３１】
図７に示す係止金具１０は、図４に示した支持片１４を形成せず、係止金具１０の上端部から連結部１１に至るまで、できる限り出っ張り部分を少なくしている。係止金具１０をこのように形成することで、親桁Ｐ１の外側に突出する係止金具１０を目立たないようにすることができる。
【００３２】
図８に示すバンド金具２０は、前記底板カバーＱを別々に支持するように、支持部材２３が左右で分割されている。図示例では、係止金具１０とバンド金具２０との連結部１１、２１相互は、突当部２２と共に連結部１１、２１相互が重合するようにしている。また、連結部１１の下端部を延長して、底板カバーＱの屈曲された折返し端部Ｑ１内側に係止するように設けている。連結部１１をこの折返し端部Ｑ１に係止することで、底板カバーＱの支持強度を高めている。
【００３３】
尚、本発明は、図示例に限定されるものではなく、たとえば、係止金具１０やバンド金具２０の形状やサイズの変更など、本発明の要旨を変更しない範囲において自由に変更できるものである。
【図面の簡単な説明】
【００３４】
【図１】本発明の一実施例を示す使用状態の側面図である。
【図２】本発明の一実施例を示す仮止め時の側面図である。
【図３】本発明の施工例を示す要部斜視図である。
【図４】本発明の他の施工例を示す側面図である。
【図５】本発明の他の施工例を示す側面図である。
【図６】本発明のバンド金具の他の実施例を示す側面図である。
【図７】本発明の係止金具の他の実施例を示す側面図である。
【図８】本発明の係止金具とバンド金具の他の実施例を示す側面図である。
【符号の説明】
【００３５】
Ｐ  ケーブルラック
Ｐ１  親桁
Ｑ  底板カバー
Ｑ１  折返し端部
Ｒ  ラックカバー
Ｓ  チャンネル材
Ｔ  直吊り金具
１０  係止金具
１１  連結部
１２  挿通孔
１３  挿通孔
１４  支持片
１５  係止部
２０  バンド金具
２１  連結部
２２  突当部
２３  支持部材
２４  屈曲部
２５  挿通孔
３０  止着ネジ
３１  角根ボルト
３２  座付きナット
４０  連結ボルト
【図１】
2008054463.tif 000003
【図２】
2008054463.tif 000004
【図３】
2008054463.tif 000005
【図４】
2008054463.tif 000006
【図５】
2008054463.tif 000007
【図６】
2008054463.tif 000008
【図７】
2008054463.tif 000009
【図８】
2008054463.tif 000010